(57)【特許請求の範囲】
【請求項１】
テレコミュニケーションネットワークの第１のテレコミュニケーション端末装置（１）からネットワークユニット（３）を介して第２のテレコミュニケーション端末装置（２）に第１のテレコミュニケーションコネクションを確立するための方法であって、
ネットワークユニット（３）による第１のテレコミュニケーションコネクションの確立の期間に、少なくとも１つのメッセージ（２１，２２，２３）を第１のテレコミュニケーション端末装置（１）に送信し、
第１のテレコミュニケーション端末装置（１）による受信の際に、該少なくとも１つのメッセージ（２１，２２，２３）を該第１のテレコミュニケーション端末装置（１）の少なくとも１つの再生装置（５，１０）で再生する
形式の方法において、
第１のテレコミュニケーション端末装置（１）からコネクション確立要求通信（１５）をテレコミュニケーションネットワークに送信して、第１のテレコミュニケーションコネクションが確立されるようにし、
テレコミュニケーションネットワークにおけるコネクション確立要求通信（１５）の受信を、ネットワークユニット（３）から第１のテレコミュニケーション端末装置（１）に確認応答通信（４０）を送信することによって確認し、
該確認応答通信（４０）と一緒に少なくとも１つのメッセージ（２１，２２，２３）を、ネットワークユニット（３）から第１のテレコミュニケーション端末装置（１）に伝送し、
前記の受信後に、再生装置（５，１０）における１回または複数回の再生のために第１のテレコミュニケーション端末装置（１）で少なくとも１つのメッセージ（２１，２２，２３）を記憶する
ことを特徴とする方法。
【請求項２】
少なくとも１つのメッセージ（２１，２２，２３）の送信および第１のテレコミュニケーション端末装置（１）における当該の少なくとも１つのメッセージ（２１，２２，２３）の再生を遅くとも、該第１のテレコミュニケーション端末装置（１）の確立が完了するや否や終了する
請求項１記載の方法。
【請求項３】
少なくとも１つのメッセージ（２１，２２，２３）の送信および第１のテレコミュニケーション端末装置（１）における当該の少なくとも１つのメッセージ（２１，２２，２３）の再生を遅くとも、前以て決められている時間後に、第１のテレコミュニケーションコネクションがまだ成り立っていないことが検出されるや否や終了する
請求項１または２記載の方法。
【請求項４】
早くともコネクション確立要求通信（１５）と一緒に確認応答受信能力情報（４５）を、第１のテレコミュニケーション端末装置（１）からテレコミュニケーションネットワークに伝送して、
該確認応答受信能力情報（４５）により第１のテレコミュニケーション端末装置（１）がテレコミュニケーションネットワークに、第１のテレコミュニケーションコネクションの確立の期間に少なくとも１つのメッセージ（２１，２２，２３）を有する確認応答通信（４０）の受信を該第１のテレコミュニケーション端末装置（１）がアシストすることを通報する
請求項１記載の方法。
【請求項５】
ネットワークユニット（３）がその前に確認応答受信能力情報（４５）を受信しているときにだけネットワークユニット（３）から第１のテレコミュニケーション端末装置（１）に少なくとも１つのメッセージ（２１，２２，２３）を伝送する
請求項４記載の方法。
【請求項６】
確認応答通信（４０）として少なくとも１つのメッセージ（２１，２２，２３）をネットワークユニット（３）から第１のテレコミュニケーション端末装置（１）に伝送する
請求項１または４または５記載の方法。
【発明の詳細な説明】
【０００１】
従来の技術
本発明は、請求項１の上位概念に記載のテレコミュニケーションコネクションの確立方法から出発している。
【０００２】
第１のテレコミュニケーション端末装置から第２のテレコミュニケーション端末装置にテレコミュニケーションのコネクションを確立するための方法は既に公知である。その際テレコミュニケーションのコネクションは交換局を介するテレコミュニケーションネットワークを用いて実現され、その際この種の交換局はテレコミュニケーションネットワークのネットワークユニットを表している。
【０００３】
発明の利点
これに対して請求項１の特徴部分に記載の構成を有する本発明は、ネットワークユニットにより、第１のテレコミュニケーションコネクションの確立の期間に、少なくとも１つのメッセージが第１のテレコミュニケーション端末装置に送信されかつ第１のテレコミュニケーション端末装置により少なくとも１つのメッセージが受信されるとそれが該第１のテレコミュニケーション端末装置の少なくとも１つの再生装置で再生され、かつ、前記の受信後に、少なくとも１つのメッセージが再生装置における１回または複数回の再生のために第１のテレコミュニケーション端末装置で記憶されるという利点を有している。このようにして、コネクション確立のフェーズを第１のテレコミュニケーションコネクションの実現に無関係に、第１のテレコミュニケーション端末装置のユーザに、テレコミュニケーションネットワークの側から例えば通信業者によって、情報を届けるために利用することができる。これにより、発呼加入者、すなわち第１のテレコミュニケーション端末装置に対する第１のテレコミュニケーションコネクションの完全なセットアップまでの待ち時間を活用することができる。通信業者にとって、第１のテレコミュニケーションコネクションの確立の間に第１のテレコミュニケーション端末装置に広告メッセージを伝送することによって新しい収入源を開発するという利点が生じる。その際通信業者は第１のテレコミュニケーションコネクションの確立のために必要な時間および更にそれに続く待ち時間としての時間を任意の企業に貸すこともできよう。
【０００４】
従属請求項に記載の構成によって、請求項１に記載の方法の有利な実施形態および改良形態が可能である。
【０００５】
少なくとも１つのメッセージの送信および第１のテレコミュニケーション端末装置におけるその再生を遅くとも、該第１のテレコミュニケーション端末装置の確立が完了するや否や終了するようにすれば特別有利である。このようにして、第１のテレコミュニケーションコネクションの確立のために必要な時間を任意選択的に、ネットワークユニットから第１のテレコミュニケーション端末装置に情報を伝送しかつ第１のテレコミュニケーション端末装置において情報を再生するために申し分なく利用することができる。
【０００６】
少なくとも１つのメッセージの送信および第１のテレコミュニケーション端末装置におけるその再生を遅くとも、前以て決められている時間後に、第１のテレコミュニケーションコネクションがまだ成り立っていないことが検出されるや否や終了するようにしても、第１のテレコミュニケーションコネクションの確立のために使用することができる時間を情報の伝送および再生のために最適に利用できることになる。
【０００７】
別の利点は、第１のテレコミュニケーション端末装置からコネクション確立要求通信をテレコミュニケーションネットワークに送信して第１のテレコミュニケーションコネクションが確立されるようにし、テレコミュニケーションネットワークにおけるコネクション確立要求通信の受信をネットワークユニットから、ネットワークユニットと第１のテレコミュニケーション端末装置との間の第２のテレコミュニケーションコネクションの確立によって応答しかつ少なくとも１つのメッセージを前記第２のテレコミュニケーションコネクションを介してネットワークユニットから第１のテレコミュニケーション端末装置に再生装置における再生のために１回または繰り返し伝送する点にある。このようにすれば、ネットワークユニットから第１のテレコミュニケーション端末装置に情報を伝送するために、殊更コネクションリソースが第２のテレコミュニケーションコネクションの形で確保され、これを介して殊に複数の種々様々なメッセージをネットワークユニットから第１のテレコミュニケーション端末装置への第１のテレコミュニケーションコネクションの確立の期間に伝送することができる。ネットワークユニットから第１のテレコミュニケーション端末装置への第２のテレコミュニケーションコネクションの確立のために、第１のテレコミュニケーション端末装置を特別に設計する必要はない。第２のテレコミュニケーションコネクションもセットアップすべき第１のテレコミュニケーションコネクションも従来のテレコミュニケーションコネクションでありかつ２つのテレコミュニケーションコネクションは同時には成り立たず、第２のテレコミュニケーションコネクションは遅くとも、第１のテレコミュニケーションコネクションが完全にセットアップされるや否や中止されるので、少なくとも１つのメッセージの受信およびその再生を可能にするために、第１のテレコミュニケーション端末装置１において従来のテレコミュニケーション端末装置に比して何ら変更を加える必要はない。従って第１のテレコミュニケーション端末装置に対して特別に、少なくとも１つのメッセージをネットワークユニットから受信しかつ再生できるようにする必要はない。
【０００８】
第１のテレコミュニケーション端末装置からコネクション確立要求通信をテレコミュニケーションネットワークに送信して、第１のテレコミュニケーションコネクションが確立されるようにし、テレコミュニケーションネットワークにおけるコネクション確立要求通信の受信をネットワークユニットから第１のテレコミュニケーション端末装置に確認応答通信を送信することによって確認しかつ該確認応答通信と一緒に少なくとも１つのメッセージをネットワークユニットから第１のテレコミュニケーション端末装置に伝送することで別の利点が得られる。このようにすれば、少なくとも１つのメッセージの、ネットワークユニットから第１のテレコミュニケーション端末装置への伝送のために、第２のテレコミュニケーションコネクションを確立しかつこれにより付加的なコネクションリソースを占有する必要がない。その際コネクションリソースの占有は、第１のテレコミュニケーションコネクションが完全にセットアップされてようやく行われる。従って、少なくとも１つのメッセージの、ネットワークユニットから第１のテレコミュニケーション端末装置への伝送は特別経済的であり、しかもコストの面で有利である。
【０００９】
早くともコネクション確立要求通信と一緒に確認応答受信能力情報を、第１のテレコミュニケーション端末装置からテレコミュニケーションネットワークに伝送して、該確認応答受信能力情報により第１のテレコミュニケーション端末装置がテレコミュニケーションネットワークに、第１のテレコミュニケーションコネクションの確立の期間に少なくとも１つのメッセージを有する確認応答通信の受信を該第１のテレコミュニケーション端末装置がアシストすることを通報することで別の利点が生じる。このようにすれば、少なくとも１つのメッセージを有する確認応答通信を受信するかまたは検出しかつ場合により再生もすることが全くできない第１のテレコミュニケーション端末装置にネットワークユニットが少なくとも１つのメッセージを送信することを妨げることができる。従ってネットワークユニットから第１のテレコミュニケーション端末装置に少なくとも１つのメッセージを有する確認応答通信を不必要に送り出すことが妨げられる。
【００１０】
別の利点は、確認応答通信として少なくとも１つのメッセージをネットワークユニットから第１のテレコミュニケーション端末装置に伝送することである。このようにして、少なくとも１つのメッセージに無関係な独自の確認応答通信を省略することができる。その場合第１のテレコミュニケーション端末装置における少なくとも１つのメッセージの受信は、テレコミュニケーションネットワークにおいて受信されるコネクション確立要求通信の相応の確認応答として評価される。
【００１１】
図面
本発明の実施例は図面に示されておりかつ以下の説明において詳述される。その際図１は本発明の方法の時間的なシーケンスに対する第１の実施例を示し、図２は本発明の方法の時間的なシーケンスに対する第２の実施例を示している。
【００１２】
実施例の説明
図１において１で示されているのは第１のテレコミュニケーション端末装置である。これは有線、コードレスまたはワイヤレス（移動）として構成されていることができる。その際コード付きテレコミュニケーション端末装置として構成されている場合第１のテレコミュニケーション端末装置は例えばＩＳＤＮ規格（Integrated Services Data Network）に従って実現されていてよい。コードレス電話として構成されている場合、テレコミュニケーション端末装置１は例えば、ＤＥＣＴ標準（Digital European Cordless Telecommunicatios）に従って実現されていることができる。移動電話として構成されている場合、テレコミュニケーション端末装置１は例えば、移動電話として、殊にＧＳＭ標準（Global System for Mobile Communicatios）またはＵＭＴＳ標準（Universal Mobile Telecommunicatios System）に従って実現されていることができる。相応のことは第２のテレコミュニケーション端末装置２にも当てはまる。第２のテレコミュニケーション端末装置もコードレスまたはワイヤレス（移動）として構成されていることができる。第１のテレコミュニケーション端末装置は図１に示されているように、スピーカの形の音響的な再生装置５と指示装置の形の光学的な再生装置１０とを有している。その際音響的な再生装置５だけかまたは光学的な再生装置１０だけかが第１のテレコミュニケーション端末装置１に設けられているようであってもよい。その際第１のテレコミュニケーション端末装置１および第２のテレコミュニケーション端末装置２は従来のテレコミュニケーション端末装置として構成されておりかつ殊にそれぞれ、テレコミュニケーションのコネクションを確立するためのメッセージ交換を可能にするために制御部を有している。しかし第１のテレコミュニケーション端末装置１の制御部および第２のテレコミュニケーション端末装置２の制御部は図１においては分かり易くする理由から図示されていない。ところでテレコミュニケーションネットワークを介して第１のテレコミュニケーション端末装置１と第２のテレコミュニケーション端末装置２との間で第１のテレコミュニケーションのコネクションがセットアップされようとし、この場合第１のテレコミュニケーション端末装置１から第１のテレコミュニケーションのコネクションが確立されるものであるとする。その際コネクション確立はテレコミュニケーションネットワークのネットワークユニット３を用いて行われる。以下に、第１のテレコミュニケーション端末装置１から第２のテレコミュニケーション端末装置２への第１のテレコミュニケーションのコネクション確立のための時間的な経過について説明する。その際最初、第１のテレコミュニケーション端末装置１からコネクション確立要求１５がネットワークユニット３に送信されて、第１のテレコミュニケーション端末装置１と第２のテレコミュニケーション端末装置２との間の第１のテレコミュニケーションのコネクションが要求される。ネットワークユニット３はコネクション確立要求通信１５を受信しかつまず、第１のテレコミュニケーション端末装置１とネットワークユニット３との間に第２のテレコミュニケーションコネクションをセットアップする。この第２のテレコミュニケーションのコネクションを介して、ネット��ークユニット３は第１のメッセージ２１を第１のテレコミュニケーション端末装置１に送信する。第１のテレコミュニケーション端末装置はこの第１のメッセージ２１を第１の時点ｔ１で受信しかつ引き続いて音響的な再生装置５で音響的におよび／または光学的な再生装置１０で光学的に再生する。第２のテレコミュニケーションコネクションが通話コネクションであるのであれば、第１のメッセージ２１は通話メッセージとしてネットワークユニット３から第１のテレコミュニケーション端末装置１に伝送されかつ音響的な再生装置５において音響的に再生される。第２のテレコミュニケーションコネクションがデータコネクションであるのであれば、第１のメッセージ２１はデータメッセージとしてネットワークユニット３から第１のテレコミュニケーション端末装置１に伝送されかつ光学的な再生装置１０において光学的に再生される。引き続いてネットワークユニット３は第２のメッセージ２２を第１のテレコミュニケーション端末装置１に送信し、このメッセージは第１のテレコミュニケーション端末装置１にて第２の時点ｔ２において受信されかつ上に述べた手法で光学的および／または音響的に再生される。引き続いて、ネットワークユニット３は第３のメッセージ２３を第１のテレコミュニケーション端末装置１に送信し、このメッセージはそこで第３の時点ｔ３において受信されかつ上述したように光学的および／または音響的に再生される。引き続いて既述の方法で、別のメッセージをネットワークユニット３から第１のテレコミュニケーション端末装置１に送信しかつそこで既述のように再生することができる。ネットワークユニット３から第１のテレコミュニケーション端末装置１に送信されるメッセージ２１，２２，２３，…は非常に種々様々な形式の情報、例えばテレコミュニケーションネットワークの通信業者の料金のお知らせ、宣伝メッセージ、通信業者の営業案内などが考えられる。コネクション確立要求通信１５の受信後、ネットワークユニット３はその他にコネクション確立通信２０を第２のテレコミュニケーション端末装置２に送出して、第１のテレコミュニケーションコネクションを確立する。第２のテレコミュニケーション端末装置２はコネクション確立確認２５をネットワークユニット３に送信することによってコネクション確立通信２０の受信を確認応答する。ネットワークユニット３は引き続いて応答通信３０を第１のテレコミュニケーション端末装置１に送信して、第１のテレコミュニケーションコネクションに対するコネクション確立を終了する。応答通信３０はｎ番目の時点ｔｎで第１のテレコミュニケーション端末装置１にて受信され、その結果この時点から第１のテレコミュニケーション端末装置１と第２のテレコミュニケーション端末装置２との間の第１のテレコミュニケーションのコネクションがテレコミュニケーションネットワークを介して完全にセットアップされている。コネクション確立要求通信１５は"Call Setup Request"とも称される。コネクション確立通信２０は"Setup"とも称される。コネクション確立確認２５は"Call Confirmed/Connect"とも称される。応答通信３０は"Answer"とも称される。
【００１３】
第２のテレコミュニケーションコネクションは第１のメッセージ２１の受信によって第１のテレコミュニケーション端末装置１において第１の時点ｔ１でセットアップされかつｎ番目の時点ｔｎまで成り立っている。第１のテレコミュニケーションコネクションの完全なセットアップによって第２のテレコミュニケーションコネクションは中止され、その結果２つのテレコミュニケーションコネクションは時間的にオーバラップしない。その際第２のテレコミュニケーションコネクションの持続時間は図１には参照番号３５によって表されている。第２のテレコミュニケーションコネクションは、第１のテレコミュニケーションコネクションとネットワークユニット３との間に第２のテレコミュニケーションコネクションの持続時間３５の間、例えばテレコミュニケーションネットワークにおける第１のテレコミュニケーション端末装置１とネットワークユニット３との間に音声またはデータコネクションの形のコネクションリソースが予約されているということによって特徴付けられている。
【００１４】
ネットワークユニット３がコネクション確立要求通信１５の受信時点から例えば２ｍｉｎである前以て決められている時間内に第２のテレコミュニケーション端末装置２からコネクション確立確認２５を受信しないとき、ネットワークユニットは第１のテレコミュニケーションコネクションに対するコネクション確立を中止する。更に、ネットワークユニット３は第１のテレコミュニケーション端末装置１に第２のテレコミュニケーションコネクションを介して音声コネクションの場合の音響的な信号またはデータコネクションの場合のデータ信号によって第１のテレコミュニケーションに対するコネクション確立の中止を通報する。その際音響的な信号は音響的な再生装置５において再生されかつデータ信号は光学的な再生装置１０において再生される。ネットワークユニット３から第１のテレコミュニケーション端末装置１に送信される、第１のテレコミュニケーションコネクションに対するコネクション確立の中止に関するメッセージは第２のテレコミュニケーションのコネクションに無関係に行うこともできる。引き続いて、ネットワークユニット３は成り立っている第２のテレコミュニケーションコネクションを終了しかつ第１のテレコミュニケーション端末装置１へのメッセージの送信を終了する。メッセージ２１，２２，２３，…は相互に異なっているメッセージであってよい。しかし２つまたは複数または全部のメッセージが同じであっても構わない。
【００１５】
第２のテレコミュニケーションコネクションは第１のテレコミュニケーションコネクションの完全なセットアップの前に既に、ネットワークユニット３によって中止することもできる。同様に、第２のテレコミュニケーションコネクション３５はネットワークユニット３によって、コネクション確立要求通信１５の受信から前以て決めることができる時間の経過する前に既に中止することもできる。
【００１６】
図２には本発明の方法の第２の実施例が示されており、その際図２には図１と同じエレメントには同じ参照番号が付されている。その際図２には同様に、第１のテレコミュニケーション端末装置１からネットワークユニット３を介する第２のテレコミュニケーション端末装置２への第１のテレコミュニケーションコネクションの確立に対する時間的な経過が示されている。その際第１のテレコミュニケーション端末装置１からネットワークユニット３を介する第２のテレコミュニケーション端末装置２への第１のテレコミュニケーションコネクションの確立は、図１の第１の実施例に関して既に説明した、コネクション確立要求通信１５、コネクション確立通信２０、コネクション確立確認２５および応答通信３０の通信交換によって行われる。
【００１７】
図１の第１の実施例と異なっている２、３の点は次の通りである：ネットワークユニット３はコネクション確立要求通信１５の受信後、第１のテレコミュニケーション端末装置１とネットワークユニット３との間に第２のテレコミュニケーションコネクションをセットアップせずに、単に確認応答通信４０をコネクション確立要求通信１５の受信を介して第１のテレコミュニケーション端末装置１に送信する。その際確認応答通信４０によってネットワークユニット３は第１のメッセージ２１を第１のテレコミュニケーション端末装置１に送信する。第１のメッセージ２１を有する確認応答通信４０は第１のテレコミュニケーション端末装置１によって第１の時点ｔ１において受信される。第１の時点ｔ１からｎ番目の時点ｔｎまで、第１のメッセージ２１が一回または繰り返しテレコミュニケーション端末装置１で再生される時間間隔ｔｘが生じる。第１のメッセージ２１が確認応答通信４０を有する通話信号として第１のテレコミュニケーション端末装置１に送信されるのであれば、第１のテレコミュニケーション端末装置１の音響的な再生装置５における音響的な再生が生じる。第１のメッセージ２１が確認応答通信４０を有するデータ信号として第１のテレコミュニケーション端末装置１に送信されるのであれば、第１のテレコミュニケーション端末装置１の光学的な再生装置１０における光学的な再生が生じる。第１のメッセージ２１を有する応答通信４０の伝送のために、持続的な、すなわち時間間隔ｔｘの間の、コネクションリソースの占有ないし第１のテレコミュニケーション端末装置１とネットワークユニット３との間の第２のテレコミュニケーションコネクションのセットアップは必要でない。
【００１８】
時間間隔ｔｘは、第１のメッセージ２１が一回または繰り返して第１のテレコミュニケーション端末装置１の音響的な再生装置５および／または光学的な再生装置１０において再生される時間を表している。その際第１のテレコミュニケーション端末装置１が、第１の時点ｔ１に活性化される時限素子を有しているようにすることができる。この時限素子が活性化されている間、第１のテレコミュニケーション端末装置１における第１のメッセージ２１の一回のまたは繰り返される再生が行われる。時限素子は前以て決められる時間後に経過終了する。この時間後に第１のテレコミュニケーション端末装置１における第１のメッセージ２１の再生は中止される。しかし第１のテレコミュニケーション端末装置１における第１のメッセージ２１の再生は遅くともかつ時限素子の比較的長い経過持続時間に無関係に、第１のテレコミュニケーション端末装置１に応答通信３０がｎ番目の時点ｔｎでまたは第１のテレコミュニケーションコネクションの確立が中止されたというメッセージがネットワークユニット３によって受信されるときに終了される。しかし応答通信４０の到来の前またはネットワークユニット３からの、第１のテレコミュニケーションコネクションの失敗に終わった確立に関するメッセージの到来の前に時限素子の設定作動時間が経過終了すると、第１のメッセージ２１の再生は時限素子の経過終了によって既に終了することになる。
【００１９】
更に、第１のテレコミュニケーション端末装置１がコネクション確立要求通信１５とともに確認応答受信能力情報４５をネットワークユニット３に伝送して、これにより第１のテレコミュニケーション端末装置１がテレコミュニケーションネットワークないしネットワークユニット３に、第１のテレコミュニケーションコネクションの確立の期間に少なくとも１つのメッセージを有する確認応答通信４０の受信を第１のテレコミュニケーション端末装置１がアシストすることを通報するようにもすることができる。その場合相応のメッセージを有する確認応答通信４０は、ネットワークユニット３がその前に確認応答受信能力情報４５を受信したとき、ネットワークユニット３から第１のテレコミュニケーション端末装置１への場合に対してだけ伝送される。ネットワークユニット３がこのような確認応答受信能力情報４５を受信しなければ、ネットワークユニットは第１のテレコミュニケーション端末装置１に確認応答通信４０およびメッセージを送信せず、その結果第１のテレコミュニケーション端末装置１においてこのようなメッセージの再生が行われることがないか、またはネットワークユニット３は第１の実施例で説明したように、それがコネクション確立要求通信１５の受信後に前以て決められた時間内にこのような確認応答受信能力情報４５を受信しないもしくは検出しないとき１つまたは複数のメッセージを第１のテレコミュニケーション端末装置１に伝送するための第２のテレコミュニケーションコネクションを確立する。
【００２０】
更に、確認応答通信４０を用いて、図２の破線で示されている１つまたは複数の別のメッセージ２２，２３をネットワークユニット３から第１のテレコミュニケーション端末装置１に伝送するようにしてもよい。
【００２１】
その際場合によりコネクション確立要求通信１５と一緒に送信される確認応答受信能力情報４５は、第１のテレコミュニケーション端末装置１が少なくとも１つのこの種のメッセージを有する確認応答通信４０の受信を第１のテレコミュニケーションコネクションの期間にだけアシストすることだけを指示する。
【００２２】
更に、確認応答通信４０として、少なくとも１つのメッセージ２１，２２，２３がネットワークユニット３から第１のテレコミュニケーション端末装置１に伝送され、従って確認応答通信４０は専ら１つまたは複数のこのようなメッセージから成っているようにすることもできる。この種のメッセージは、ネットワークユニット３がコネクション確立要求通信１５を受信したときにだけネットワークユニット３から第１のテレコミュニケーション端末装置１に送信されるので、この種のメッセージの送信それ自体を既に確認応答通信として使用することができる。
【００２３】
確認応答受信能力情報４５は“Call Establishment Request”（コール・エスタブリッシュメント・リクエスト）とも称される。確認応答通信４０は“Call Establishment Confirm”（コール・エスタブリッシュメント・コンファーム）とも称される。
【００２４】
コネクションリソースは図２の第２の実施例では、第１のテレコミュニケーションコネクションが完全にセットアップされているときようやくｎ番目の時点ｔｎから占有される。
【図面の簡単な説明】
【図１】  本発明の方法の時間経過の第１の実施例の線図である。
【図２】  本発明の方法の時間経過の第２の実施例の線図である。
【図１】
0005031966.tif 000002
【図２】
0005031966.tif 000003